(57)【特許請求の範囲】
【請求項１】
第１のワックスを溶かす工程Ａと、
溶かした第１のワックスを色付けする工程Ｂと、
前記第１のワックスを冷ます工程Ｃと、
冷ました第１のワックスを砕く工程Ｄと、
砕いた第１のワックスをふるいにかけて、細かい第１の部材と、それよりも大きい第２の部材とに分ける工程Ｅと、
を備える、キャンドルの製造方法。
【請求項２】
前記工程Ａ又は前記工程Ｂにおいて、
溶かした第１のワックスに、ステアリン酸添加剤及びステアリン酸ワックス及びパルバックスワックス及びマイクロワックスの少なくともいずれか１を混合する、
請求項１に記載のキャンドルの製造方法。
【請求項３】
前記第１のワックスは、パラフィンワックス又はステアリン酸を含むワックスである、
請求項１又は請求項２に記載のキャンドルの製造方法。
【請求項４】
第２のワックスを溶かす工程Ｆと、
溶かした第２のワックスを色付けする工程Ｇと、
前記第２のワックスを冷ます工程Ｈと、
冷ました第２のワックスを捏ねて第３の部材とする工程Ｉと、
前記第１の部材と、前記第２の部材と、前記第３の部材と、を混ぜ合わせる工程Ｊと、
を備える、請求項１乃至請求項３のいずれか１項に記載のキャンドルの製造方法。
【請求項５】
前記第２のワックスは、大豆を主原料とするワックスである、
請求項４に記載のキャンドルの製造方法。
【請求項６】
前記工程Ｂにおいて、前記第１のワックスの色付けは、茶色、黒色、灰色のいずれか１であり、
前記工程Ｇにおいて、前記第２のワックスの色付けは、茶色、黒色、灰色のいずれか１である、
請求項４又は請求項５に記載のキャンドルの製造方法。
【請求項７】
前記工程Ｊは、前記第３の部材をちぎりつつ、前記第１の部材と混ぜ合わせた後、これに前記第２の部材を混ぜ合わせる工程である、
請求項４乃至請求項６のいずれか１項に記載のキャンドルの製造方法。
【請求項８】
前記工程Ｅよりも後の工程において、
グラスの中央に糸芯を固定する工程と、
前記糸芯の周りに、前記第１の部材と、前記第２の部材とを前記グラスに入れる工程とを備える、
請求項１乃至請求項３のいずれか１項に記載のキャンドルの製造方法。
【請求項９】
前記工程Ｊよりも後の工程において、
グラスの中央に糸芯を固定する工程と、
前記糸芯の周りに、前記第１の部材と、前記第２の部材と、前記第３の部材とを前記グラスに入れる工程とを備える、
請求項４乃至請求項７のいずれか１項に記載のキャンドルの製造方法。
【請求項１０】
前記グラスの中央に、該グラスより小さい大豆ワックスのロウを入れる工程を更に備える、請求項８又は請求項９に記載のキャンドルの製造方法。
【請求項１１】
更に、前記糸芯を通すための穴が形成された糸芯のない状態の花型のキャンドルを取り付け、該穴に該糸芯を通す工程を備える、
請求項８乃至請求項１０のいずれか１項に記載のキャンドルの製造方法。
【請求項１２】
請求項１乃至請求項１１のいずれか１項に記載の製造方法により作成されたキャンドル。
【発明の詳細な説明】
【技術分野】
【０００１】
本発明は、キャンドル及びキャンドルの製造方法に関する。
【背景技術】
【０００２】
従来のキャンドルは、一般的に、糸芯を配置した型に溶かした蝋を流し込むことによって作製されている（例えば、特許文献１参照）。
【先行技術文献】
【特許文献】
【０００３】
【特許文献１】特開平０９−２２７８９４号公報（第２頁、第１図）
【発明の概要】
【発明が解決しようとする課題】
【０００４】
しかしながら、従来のキャンドルは、溶かした蝋を型に流し込むだけで手軽に作製できる反面、複雑な形状は型の製造が困難であり、コストもかかり、比較的単純で画一的な形状のものになる傾向がある。
【０００５】
本発明は、独創性と審美性を有するキャンドルと、その製造方法を提供することを目的としている。
【課題を解決するための手段】
【０００６】
本発明に係る一の態様のキャンドルの製造方法は、第１のワックスを溶かす工程Ａと、溶かした第１のワックスを色付けする工程Ｂと、前記第１のワックスを冷ます工程Ｃと、冷ました第１のワックスを砕く工程Ｄと、砕いた第１のワックスをふるいにかけて、細かい第１の部材と、それよりも大きい第２の部材とに分ける工程Ｅと、を備える。
【０００７】
この構成によれば、独創的且つ審美性を有する土のような形状のキャンドルとなる。ここで、ふるいによって落ちる細かい第１の部材には、砂様の部材と、小さい小石様又は土の塊様の部材とが含まれる。それよりも大きい第２の部材とは、第１の部材よりも大きい小石様又は土の塊様の部材である。第１の部材による砂様の部材と小さい小石様又は土の塊様の部材、それよりも大きい第２の部材とを分離し、その後これらを混ぜ合わせることにより、実際の土のようなキャンドルとなる。
【０００８】
ここで、工程Ｂにおけるワックスに色付けする工程は、例えば溶かしたワックスに色粉や液体染料を混合して行う。また、工程Ｃにおけるワックスを冷ます工程は、例えばクッキングシートの上や台上に、ワックスを流して冷ますことが好ましい。また、ワックスを流すときは、ワックスを薄く延ばして冷ますことがより好ましい。冷めやすく、その後に砕きやすいためである。また、冷ます工程は、完全に固まるまで冷ましてもよいが、その後の砕く作業がしやすいよう、完全に固まる前が好ましい。
【０００９】
好ましくは、このキャンドルの製造方法は、前記工程Ａ又は前記工程Ｂにおいて、溶かした第１のワックスに、ステアリン酸添加剤及びステアリン酸ワックス及びパルバックスワックス及びマイクロワックスの少なくともいずれか１を混合する。この構成によれば、第１のワックスにステアリン酸添加剤などを混合することで、硬度が高く、実際の土に含まれるさらさらした砂状の土や、さらさらした大小の小石や土の塊を模した部材を含むキャンドルとなる。
【００１０】
好ましくは、このキャンドルの製造方法は、前記第１のワックスが、パラフィンワックス又はステアリン酸を含むワックスである。
【００１１】
好ましくは、このキャンドルの製造方法は、第２のワックスを溶かす工程Ｆと、溶かした第２のワックスを色付けする工程Ｇと、前記第２のワックスを冷ます工程Ｈと、冷ました第２のワックスを手で捏ねて第３の部材とする工程Ｉと、前記第１の部材と、前記第２の部材と、前記第３の部材と、を混ぜ合わせる工程Ｊと、を備える。
【００１２】
この構成によれば、第２のワックスにより、捏ねた第３の部材を作成することで、実際の土に含まれる粘土状の部分を再現しうる。そして、第１の部材と、第２の部材と、第３の部材と、を混ぜ合わせることで、更に実際の土のような複雑でリアルなキャンドルとなる。また、粘土様の第３の部材を含むことで、土のキャンドルをグラス等に入れた際に、形を安定させうる。なお、第２のワックスは、比較的粘性の高いワックスが好ましく、例えば大豆ワックスが好ましい。
【００１３】
ここで、工程Ｈにおけるワックスを冷ます工程は、例えばクッキングシートの上や台上に、ワックスを流して冷ますことが好ましい。また、ワックスを流すときは、ワックスを薄く延ばして冷ますことがより好ましい。冷めやすく、その後に手で捏ねやすいためである。また、冷ます工程は完全に固まる前が望ましい。完全に固まってしまうと手で捏ねる作業がしにくくなるためである。
【００１４】
好ましくは、このキャンドルの製造方法は、前記第２のワックスが、大豆を主原料とするワックスである。この構成によれば、実際の土に含まれる粘土状の土を模した部材を含むキャンドルとなる。さらに、粘土状の土を模した部材と、上記のさらさらした砂状の土や大小の小石や土の塊を模した部材を組み合わせることで、よりリアルな実際の土のような形状のキャンドルとなる。
【００１５】
好ましくは、このキャンドルの製造方法は、前記工程Ｂにおいて、前記第１のワックスの色付けは、茶色、黒色、灰色のいずれか１であり、前記工程Ｇにおいて、前記第２のワックスの色付けは、茶色、黒色、灰色のいずれか１である。この構成によれば、形状のみならず、色についても実際の土のようなキャンドルとなる。
【００１６】
好ましくは、このキャンドルの製造方法は、前記工程Ｊが、前記第３の部材をちぎりつつ、前記第１の部材と混ぜ合わせた後、これに前記第２の部材を混ぜ合わせる工程である。この構成によれば、第３の部材の表面に第１の部材、特に砂状のものが付き、実際の土のような粘土状の部材とできるし、その後に第２の部材を混ぜ合わせるときに作業性もよい。
【００１７】
本発明に係る一の態様のグラス入りキャンドルの製造方法は、前記工程Ｅよりも後の工程において、グラスの中央に糸芯を固定する工程と、前記糸芯の周りに、前記第１の部材と、前記第２の部材とを前記グラスに入れる工程とを備える。この構成によれば、実際の土が入ったようなグラス入りキャンドルとなる。
【００１８】
また、このキャンドルの製造方法は、前記工程Ｊよりも後の工程において、 グラスの中央に糸芯を固定する工程と、前記糸芯の周りに、前記第１の部材と、前記第２の部材と、前記第３の部材とを前記グラスに入れる工程とを備えてもよい。
【００１９】
また、このグラス入りキャンドルの製造方法は、前記グラスに、該グラスより小さい大豆ワックスのロウを入れる工程を更に備えてもよい。この構成によれば、しっかりと燃焼するグラス入りキャンドルとなる。
【００２０】
また、このキャンドルの製造方法は、更に、前記糸芯を通すための穴が形成された糸芯のない状態の花型のキャンドルを取り付け、該穴に該糸芯を通す工程を備える。この構成によれば、実際の花のようなキャンドルと、土のようなキャンドルとを組み合わせることで、極めて独創的で審美性を有するキャンドルとなる。
【００２１】
本発明に係る一の態様のキャンドルは、請求項１乃至請求項１１のいずれか１項に記載の製造方法により作成されている。
【発明の効果】
【００２２】
本発明のキャンドル及びキャンドルの製造方法によれば、独創的で審美性に優れたキャンドルを製造することができ、同様のキャンドルを提供することができる。
【図面の簡単な説明】
【００２３】
【図１】一実施形態に係るキャンドルの製造フローを示す図である。
【図２Ａ】一実施形態に係るキャンドルの製造工程１を示す図である。
【図２Ｂ】一実施形態に係るキャンドルの製造工程２を示す図である。
【図２Ｃ】一実施形態に係るキャンドルの製造工程３を示す図である。
【図２Ｄ】一実施形態に係るキャンドルの製造工程４を示す図である。
【図３】一実施形態に係る土のキャンドルの斜視図である。
【図４Ａ】一実施形態に係るグラス入りキャンドル１の斜視図である。
【図４Ｂ】一実施形態に係るグラス入りキャンドル２の斜視図である。
【図５】一実施形態に係る花付のグラス入りキャンドルの斜視図である。
【図６】変形例の製造フローを示す図である。
【図７】変形例の土のキャンドルの斜視図である。
【図８】変形例のグラス入りキャンドルの斜視図である。
【図９】変形例の花付のキャンドルの斜視図である。
【図１０】一実施形態に係る花付のグラス入りキャンドルの写真の写しである。
【図１１Ａ】一実施形態に係るキャンドルの第１の部材の写真の写しである。
【図１１Ｂ】一実施形態に係るキャンドルの第２の部材の写真の写しである。
【図１１Ｃ】一実施形態に係るキャンドルの第３の部材の写真の写しである。
【発明を実施するための形態】
【００２４】
以下、本発明にかかる実施形態を図面に基づき説明するが、本発明は下記実施形態に限定されるものではない。
【００２５】
＜キャンドルの製造方法＞
まず、キャンドルの製造方法について図１、図２Ａ乃至Ｄを参照しつつ説明する。図１は本発明の一実施形態に係るキャンドルの製造フローを示す図である。図２Ａ乃至Ｄは製造工程を示す図である。
【００２６】
（１）まず、材料である第１のワックスをホーロー鍋に入れ、一例として約７０℃に設定した電磁調理器に載せて第１のワックスを溶かす。また、本実施形態において、第１のワックスには、一例としてパラフィンワックスを用いる。なお、ステアリン酸ワックスや、ステアリン酸を入れたパラフィンワックス、その他のワックスを用いてもよい。
【００２７】
（２）そして、溶かした第１のワックスにステアリン酸添加剤を加えて混ぜ合わせる。なお、ステアリン酸添加剤は一例であり、これに代えて、ステアリン酸ワックスや、パルバックスワックス、マイクロワックスとしてもよく、これらを数種用いてもよい。
【００２８】
（３）そして、溶かした第１のワックスに第１の色粉を加えて着色する。第１の色粉には、一例として濃い茶色の色粉を用いる。なお、色粉は一例であり、これに代えて、液体染料などを加えて着色してもよい。
【００２９】
（４）そして、ホーロー鍋から、平坦な面においたクッキングシート上に第１のワックスを流す（図２Ａ（ａ）参照）。
【００３０】
（５）そして、第１のワックスがある程度冷えて固まった後、ビニールグローブ等をはめた手で第１のワックスを砕いて小さくする（図２Ａ（ｂ）（ｃ）参照）。
【００３１】
（６）そして、小さくした第１のワックスをふるいにかけて、第１の部材である細かい部材１とそれよりも大きい第２の部材である部材２とに分別する（図２Ｂ（ａ）（ｂ）、図１１Ａ、図１１Ｂ参照）。
【００３２】
（７）一方、材料である第２のワックスをホーロー鍋に入れ、一例として約７０℃に設定した電磁調理器に載せて第２のワックスを溶かす。なお、第２のワックスには、一例として大豆ワックスを用いる。なお、大豆ワックスに代えて、比較的粘性の高い別のワックスを用いてもよい。
【００３３】
（８）そして、溶かした第２のワックスに第２の色粉を加えて着色する。第２の色粉には、一例として濃い茶色の色粉を用いる。
【００３４】
（９）そして、ホーロー鍋から、平坦な面においたクッキングシート上に第２のワックスを流す（図２Ｃ（ａ）参照）。
【００３５】
（１０）そして、第２のワックスがある程度冷えて可塑状体となった後、第２のワックスをビニールグローブ等をはめた手で捏ねて塊にして、第３の部材である部材３を作成する（図２Ｃ（ｂ）（ｃ）（ｄ）、図１１Ｃ参照）。
【００３６】
（１１）次に、上記工程（１０）で作成した部材３と、上記工程（６）で作成した細かい部材１とをクッキングシート上に用意し、部材３を部材１と混ぜ合わせながら、ちぎって小さくしていく（図２Ｄ（ａ）（ｂ）（ｃ）参照）。
【００３７】
（１２）そして、上記工程（１１）で作成したものに、上記工程（６）で作成した大きい部材２を混ぜ合わせて、土のキャンドル４となる（図３参照）。
【００３８】
以上の工程により完成する土のキャンドル４は、実際の土に含まれる砂状の土、大小の小石や土の塊、粘土状の土をそれぞれ模した部材を備えるので、実際の土のような非常にリアルな土のキャンドルである（図１０参照）。
【００３９】
また、別途グラス５を用意して、グラス５の中央に糸芯６を固定し、糸芯６の周りに土のキャンドル４を注ぎ入れて、土のキャンドル４が入ったグラス入りキャンドル７となる（図４Ａ参照）。なお、しっかりと燃焼するグラス入りキャンドルにする場合は、グラス５より小さい大豆ワックスで形成された円筒状のロウ８をあらかじめグラス５に入れて、これに糸芯６を固定し、糸芯６の周りに土のキャンドル４を注ぎ入れてもよい（図４Ｂ参照）。
【００４０】
また、グラス入りキャンドル７の上に、糸芯６を通すための穴９ａを形成した花型キャンドル９をロウで固定して、この穴９ａに糸芯６を通して、花付のグラス入りキャンドル１０とすることもできる（図５、図１０参照）。
【００４１】
（変形例）
次に、上記したキャンドルの製造方法の変形例について、図６を用いて、適宜図２を参照しつつ説明する。上記の製造方法との主な相違点は、第２のワックスを使わず、第１のワックス（以下、単に「ワックス」という）のみでキャンドルを製造することである。図６はキャンドルの製造フローを示す図である。
【００４２】
（１）まず、材料であるワックスをホーロー鍋に入れ、一例として約７０℃に設定した電磁調理器に載せてワックスを溶かす。なお、このワックスには、一例としてパラフィンワックスを用いる。
【００４３】
（２）そして、溶かした第１のワックスにステアリン酸添加剤を加えて混ぜ合わせる。なお、ステアリン酸添加剤は一例であり、これに代えて、ステアリン酸ワックスや、パルバックスワックス、マイクロワックスとしてもよく、これらを数種用いてもよい。
【００４４】
（３）そして、溶かしたワックスに色粉を加えて着色する。この色粉には、一例として濃い茶色の色粉を用いる。
【００４５】
（４）そして、ホーロー鍋から、平坦な面においたクッキングシート上にワックスを流す（図２Ａ（ａ）参照）。
【００４６】
（５）そして、ワックスがある程度冷えて固まった後、ビニールグローブ等をはめた手でワックスを砕いて小さくする（図２Ａ（ｂ）（ｃ）参照）。
【００４７】
（６）そして、小さくしたワックスをふるいにかけて、細かい部材１とそれよりも大きい部材２とに分別する（図２Ｂ（ａ）参照）。なお、この工程は必須ではないが、分別することにより、仕上がりが綺麗になる。
【００４８】
（７）そして、部材１と部材２とをクッキングシート上にのせ、部材１を部材２と混ぜ合わせる（図２Ｂ（ｂ）参照）。なお、上記工程（６）を行わない場合、この工程は不要である。
【００４９】
（８）これらの工程により、土のキャンドル１１となる（図７参照）。
【００５０】
また、別途グラス５を用意して、グラス５の中央に糸芯６を固定し、糸芯６の周りに土のキャンドル１１を注ぎ入れて、土のキャンドル１１が入ったグラス入りキャンドル１２となる（図８参照）。なお、しっかりと燃焼するグラス入りキャンドルにする場合は、グラス５より小さい大豆ワックスで形成された円筒状のロウ８をあらかじめグラス５に入れて、これに糸芯６を固定し、糸芯６の周りに土のキャンドル４を注ぎ入れてもよい。
【００５１】
なお、土のキャンドル１１を構成する細かい部材１と大きい部材２は、いずれもさらさらした粘性の少ない部材であるため、グラス５に土のキャンドル１１を入れた後に、比較的粘性の高いロウを流し入れて、土のキャンドル１１を固定するようにしてもよい。比較的粘性の高いロウとしては、例えば大豆ワックスを溶かしたロウを用いる。
【００５２】
また、グラス入りキャンドル１２の上に、糸芯６を通すための穴を形成した花型キャンドル９をロウで固定して、この穴に糸芯６を通して、花付のグラス入りキャンドル１３とすることもできる（図９参照）。
【００５３】
＜本実施形態の効果＞
以上説明したように、本実施形態のキャンドルの製造方法によれば、第１のワックスにより、細かい部材とそれよりも大きい部材とを作成することによって、さらさらした砂状の部材や小さい小石様又は土の塊様の部材と、それよりも大きい小石様又は土の塊様の部材とを備える実際の土のようなキャンドルが製造できる。
【００５４】
また、第１のワックスにステアリン酸添加剤を加えることで、硬度が高く、発色もよくなり、実際の土に含まれるさらさらした砂状の土や、さらさらした大小の小石や土の塊を模した部材を備える、よりリアルな土のキャンドルとなる。
【００５５】
また、第１のワックスに加えて、第２のワックスを用いて粘土様の部材を作成することで、実際の土に含まれる粘土状の部分を再現できる。そして、上記した細かい部材と、それよりも大きい部材と、粘土様の部材とを混ぜ合わせることで、更にリアルな実際の土のような複雑な土のキャンドルが製造できる。
【００５６】
＜その他の実施形態＞
以上のとおり、図面を参照しながら本発明の実施形態を説明したが、本発明の趣旨を逸脱しない範囲内で、種々の追加、変更または削除が可能である。例えば、本実施形態においては、第１の色粉及び第２の色粉に濃い茶色の色粉を用いているが、茶色以外にも黒色や灰色、その他の色を用いてもよい。したがって、そのようなものも本発明の範囲内に含まれる。
【符号の説明】
【００５７】
１  第１の部材
２  第２の部材
３  第３の部材
４  土のキャンドル
５  グラス
６  糸芯
７  グラス入りキャンドル
８  ロウ
９  花型キャンドル
９ａ  穴
１０  花付のキャンドル
１１  土のキャンドル
１２  グラス入りキャンドル
１３  花付のキャンドル
【図１】
0006455926.tif 000002
【図２Ａ】
0006455926.tif 000003
【図２Ｂ】
0006455926.tif 000004
【図２Ｃ】
0006455926.tif 000005
【図２Ｄ】
0006455926.tif 000006
【図３】
0006455926.tif 000007
【図４Ａ】
0006455926.tif 000008
【図４Ｂ】
0006455926.tif 000009
【図５】
0006455926.tif 000010
【図６】
0006455926.tif 000011
【図７】
0006455926.tif 000012
【図８】
0006455926.tif 000013
【図９】
0006455926.tif 000014
【図１０】
0006455926.tif 000015
【図１１Ａ】
0006455926.tif 000016
【図１１Ｂ】
0006455926.tif 000017
【図１１Ｃ】
0006455926.tif 000018